(57)【要約】【課題】配管類の露出を少なくすることにより意匠性及び耐久性を向上させるとともに、配管類の取り付け及びメンテナンスを容易にする配管構造を提供する。【解決手段】  基礎２の貫通孔３を通って屋内から屋外又は屋外から屋内へと複数の配管類７を通すための配管構造であって、屋内側の土間コンクリート１を貫通し、地中に埋没する基礎２の貫通孔３を通って屋外側に設けられる機器４を据え付けるための機械基礎５を貫通して上方に立ち上がって設けられ、前記土間コンクリート１の上方及び前記機械基礎５の上方に夫々開口部６１，６２を有するさや管６に複数の配管類７が挿入されることを特徴とする配管構造。【選択図】図１
2011247374.tif 000002
【特許請求の範囲】
【請求項１】
基礎の貫通孔を通って屋内から屋外又は屋外から屋内へと複数の配管類を通すための配管構造であって、
屋内側の土間コンクリートを貫通し、地中に埋没する基礎の貫通孔を通って屋外側に設けられる機器を据え付けるための機械基礎を貫通して上方へ立ち上がって設けられ、前記土間コンクリートの上方及び前記機械基礎の上方に夫々開口部を有するさや管に複数の配管類が挿入されることを特徴とする配管構造。
【請求項２】
前記さや管は、硬質な材質からなるものであることを特徴とする請求項１記載の配管構造。
【請求項３】
前記さや管は、フレキシブル管であって、該フレキシブル管の外周を夫々異なる位置でリング状に把持する２つの把持部と、該夫々の把持部を所定間隔あけた状態で連結する連結部とからなる支持部材を備え、
該支持部材が屋内側に位置する前記フレキシブル管及び屋外側に位置する前記フレキシブル管に対して夫々用いられることにより、屋内側に位置する前記フレキシブル管及び屋外側に位置する前記フレキシブル管の位置及び形状を固定することを特徴とする請求項１記載の配管構造。
【請求項４】
前記さや管と前記基礎の貫通孔の隙間には、前記さや管を前記貫通孔に固定するための固定部材が挿入されることを特徴とする請求項１乃至３のいずれかに記載の配管構造。
【請求項５】
前記さや管の屋外側の立ち上がり部分から開口部又は前記さや管の屋内側の立ち上がり部分から開口部までの径が拡径されていることを特徴とする請求項１乃至４のいずれかに記載の配管構造。
【請求項６】
前記さや管に挿入される複数の配管類を区分けするための複数の区画孔を形成する仕切りが設けられていることを特徴とする請求項１乃至５のいずれかに記載の配管構造。
【請求項７】
前記複数の区画孔を夫々塞ぐように形成された伸縮性を有するヒレ部材を備え、該ヒレ部材には前記配管類を挿通するための切れ目が形成されていることを特徴とする請求項６記載の配管構造。
【請求項８】
前記さや管の屋外側の開口部には、伸縮性を有する円錐形状の突起部を複数備えるキャップ部材が装着され、前記配管類の径に合わせて前記突起部を水平に切断した切り口に前記配管類が挿通されることを特徴とする請求項１乃至５のいずれかに記載の配管構造。
【発明の詳細な説明】
【技術分野】
【０００１】
本発明は、屋内から建物の基礎の貫通孔を通って屋外へと設けられるさや管に複数の配管類を通すための配管構造に関する。
【背景技術】
【０００２】
従来、屋外に据え付けられる屋外据置式の給湯器や熱源器等の複数の配管類を屋内へと引き込む場合には、例えば、図１５に示すように、屋外敷地面（ＧＬ）よりも上に屋内から屋外へと通じる基礎１０１の貫通孔１０２が形成され、この貫通孔１０２に複数の配管類１０３を通すように施工されるものがある。
【０００３】
また、屋外敷地面（ＧＬ）下の地中に埋没する基礎の貫通孔にフレキシブル管をさや管として挿通して、そのフレキシブル管内に配管を通すことにより屋外に据え付けられている給湯器等に接続するように施工されるものがある（例えば、特許文献１参照）。この特許文献１に記載の配管構造では、屋内床下から土間コンクリートを貫通させて地中に埋没した基礎の貫通孔へと挿通させたさや管に配管が通されている。
【先行技術文献】
【特許文献】
【０００４】
【特許文献１】特開２００１−１５９１６２号公報
【発明の開示】
【発明が解決しようとする課題】
【０００５】
しかしながら、図１５に示すような配管構造の場合、配管類が屋外に据え付けられている給湯器等の裏面に露出するため、見栄えが悪くなるとともに、紫外線や風雨を直接受けるため、劣化し易いという問題がある。また、配管類と貫通孔の周囲はモルタル等で固められるため、配管類を取り替えることが困難である。
【０００６】
また、特許文献１のような配管構造の場合には、さや管としてフレキシブル管が用いられているので、立ち上げ位置の調整及び一定の状態を保持することが難しいため、配管類をさや管の内部を挿通させて給湯器や熱源器等に接続させる作業が困難になる。また、このさや管は屋内床下の土間コンクリートから地中に埋没した基礎の貫通孔までは設けられているが、基礎の貫通孔より屋外側の地中ではさや管に通された配管が地中に埋没した状態になっている。そのため、配管を取り替えることが困難である。
【０００７】
本発明は、上記のような種々の課題に鑑みてなされたものであって、配管類の露出を少なくすることにより意匠性及び耐久性を向上させるとともに、配管類の取り付け及びメンテナンスを容易にする配管構造を提供することを目的とする。
【課題を解決するための手段】
【０００８】
上記目的を達成するために、請求項１記載の配管構造は、基礎の貫通孔を通って屋内から屋外又は屋外から屋内へと複数の配管類を通すための配管構造であって、屋内側の土間コンクリートを貫通し、地中に埋没する基礎の貫通孔を通って屋外側に設けられる機器を据え付けるための機械基礎を貫通して上方へ立ち上がって設けられ、前記土間コンクリートの上方及び前記機械基礎の上方に夫々開口部を有するさや管に複数の配管類が挿入されることを特徴としている。
【０００９】
請求項２記載の配管構造は、前記さや管が、硬質な材質からなるものであることを特徴としている。
【００１０】
請求項３記載の配管構造は、前記さや管が、フレキシブル管であって、該フレキシブル管の外周を夫々異なる位置でリング状に把持する２つの把持部と、該夫々の把持部を所定間隔あけた状態で連結する連結部とからなる支持部材を備え、該支持部材が屋内側に位置する前記フレキシブル管及び屋外側に位置する前記フレキシブル管に対して夫々用いられることにより、屋内側に位置する前記フレキシブル管及び屋外側に位置する前記フレキシブル管の位置及び形状を固定することを特徴としている。
【００１１】
請求項４記載の配管構造は、前記さや管と前記基礎の貫通孔の隙間には、前記さや管を前記貫通孔に固定するための固定部材が挿入されることを特徴としている。
【００１２】
請求項５記載の配管構造は、前記さや管の屋外側の立ち上がり部分から開口部又は前記さや管の屋内側の立ち上がり部分から開口部までの径が拡径されていることを特徴としている。
【００１３】
請求項６記載の配管構造は、前記さや管に挿入される複数の配管類を区分けするための複数の区画孔を形成する仕切りが設けられていることを特徴としている。
【００１４】
請求項７記載の配管構造は、前記複数の区画孔を夫々塞ぐように形成された伸縮性を有するヒレ部材を備え、該ヒレ部材には前記配管類を挿通するための切れ目が形成されていることを特徴としている。
【００１５】
請求項８記載の配管構造は、前記さや管の屋外側の開口部には、伸縮性を有する円錐形状の突起部を複数備えるキャップ部材が装着され、前記配管類の径に合わせて前記突起部を水平に切断した切り口に前記配管類が挿通されることを特徴としている。
【発明の効果】
【００１６】
請求項１記載の配管構造によれば、複数の配管類は屋内側の土間コンクリートから給湯器や熱源器が据え付けられる機械基礎の上面までさや管内を通っている。従って、配管類は機械基礎に据え付けられる給湯器等の直下に出てくることになり、給湯器等の下部に取り付けられるカバーにより隠れた状態になるので、外部に配管類が露出することがなく、見栄えを良くすることができる。また、配管類が紫外線や風雨等を受けることによる劣化を防止することができるので、配管類の耐久性を向上させることができる。また、配管類はさや管内を通すことにより、屋内から屋外又は屋外から屋内へと通すことができるので、配管類の施工及びメンテナンス等が容易になる。
【００１７】
請求項２記載の配管構造によれば、さや管は、例えば、硬質塩化ビニル管等の硬質な材質からなるものであるため、形状が決まっており、フレキシブル管のように形状が崩れることはないので、立ち上げ位置の調整等の施工が容易になる。
【００１８】
請求項３記載の配管構造によれば、フレキシブル管からなるさや管の屋内側及び屋外側を夫々支持部材を用いることにより、当該フレキシブル管の位置及び形状を固定しているので、実管を用いた場合と同じように立ち上げ位置の調整等の施工が容易になる。
【００１９】
請求項４記載の配管構造によれば、基礎の貫通孔と該貫通孔に挿通されるさや管との隙間に固定部材が挿入されるので、さや管の固定を確実に行うことができる。
【００２０】
請求項５記載の配管構造によれば、さや管の屋外側の立ち上がり部分から機械基礎の上面に位置する開口部又はさや管の屋内側の立ち上がり部分から開口部までの径が拡径されているため、複数の配管をさや管に挿入する際に配管がさや管内の立ち上がり部分で詰まることを軽減することができるので、配管類をさや管へ挿入する作業の効率を向上させることができる。
【００２１】
請求項６記載の配管構造によれば、複数の配管類を区分けするための区画孔を形成する仕切りが設けられているので、複数の配管類をさや管に挿入する際に工種ごとに配管類の経路を確保することができる。
【００２２】
請求項７記載の配管構造によれば、工種ごとに配管類の経路を区分けするための複数の区画孔に夫々切れ目が形成された伸縮性を有するヒレ部材が設けられている。従って、配管類を伸縮性を有するヒレ部材の切れ目から挿通させることにより夫々の配管類の外周はヒレ部材に密着した状態になるので、屋外側のさや管の開口部から雨水や小動物等が侵入するのを防止するためのコーキングのバックアップ材の役割を果たすことができる。
【００２３】
請求項８記載の配管構造によれば、さや管の屋外側の開口部には、伸縮性を有する円錐形状の突起部を複数備えるキャップ部材が装着されているので、この円錐形状の突起部を挿通させる配管類の外径に合わせて突起部の所定位置を切断することにより形成された切り口に、配管類の外周を密着させた状態で挿通させることができる。これにより、屋外側のさや管の開口部から雨水や小動物等が侵入するのを防止することができるとともに、複数の配管類をさや管に挿入する際に工種ごとに配管類の経路を確保することができる。
【図面の簡単な説明】
【００２４】
【図１】本発明に係る配管構造の一例を示す概略模式図である。
【図２】本発明に係る配管構造の一例を示す概略平面断面図である。
【図３】さや管の構造の一例を説明するための概略図であって、（ａ）はさや管の概略正面図であり、（ｂ）はさや管の概略平面図である。
【図４】固定部材の一例を示す概略斜視図であって、（ａ）は幅狭のくさび型固定部材を示しており、（ｂ）は幅広のくさび型固定部材を示している。
【図５】さや管を外周基礎に固定した状態を示す概略模式図であって、（a）は幅狭のくさび型固定部材を用いた場合を示しており、（ｂ）は幅広のくさび型固定部材を用いた場合を示している。
【図６】図５のＡ−Ａ線断面図である。
【図７】仕切り部材の構造の一例を示す概略斜視図である。
【図８】さや管の内部に仕切りを設けた場合の構造を示す概略正面図であって、（ａ）はさや管の内部の途中まで仕切りを設けた場合を示しており、（ｂ）はさや管の内部全域に仕切りを設けた場合を示している。
【図９】さや管の構造の他の一例を示す概略図であって、（ａ）は断面楕円状のさや管を示す概略平面図であり、（ｂ）は断面四角形状のさや管を示す概略平面図である。
【図１０】さや管の開口部に装着するキャップ部材の構造の一例を説明するための概略平面図である。
【図１１】図１０のＢ−Ｂ線断面図である。
【図１２】さや管の構造の更に他の一例を示す概略正面図である。
【図１３】本発明に係る配管構造の他の一例を示す概略平面断面図である。
【図１４】フレキシブル管であるさや管の支持の仕方について説明するための概略模式図である。
【図１５】従来の配管構造の一例を示す概略模式図である。
【発明を実施するための形態】
【００２５】
以下に本発明に係る配管構造について、各図面を用いて説明する。本発明に係る配管構造は、図１，２に示すように、屋内側の土間コンクリート１を貫通し、屋外敷地面（ＧＬ）より下の地中に埋没する外周基礎２の貫通孔３を通って、屋外側に設けられる熱源器や給湯器４等の機器を据え付けるための機械基礎５を貫通して上方へと立ち上がって設けられるさや管６内に複数の配管類７を挿入させることにより、複数の配管類７が屋内から屋外又は屋外から屋内へと通されるものである。従って、
【００２６】
このように外周基礎２の貫通孔３に挿通させられて設けられるさや管６は、例えば、硬質塩化ビニル管等の硬質な材質からなる実管である。さや管６は、図１，２に示すように、屋内側の土間コンクリート１の上方及び屋外側の機械基礎５の上方に夫々開口部６１，６２が位置するように、屋内側及び屋外側の両側には、屈曲して上方へと立ち上がる屈曲部６３，６４が夫々形成されている。また、このさや管６は、外周基礎２の貫通孔３の屋内側及び屋外側の両側から夫々嵌め込んで設けられるように、２つの塩化ビニル管等が組み合わされて構成されているので、さや管６の屋内側及び屋外側に夫々屈曲部６３，６４が形成されていても外周基礎２の貫通孔３に挿通させることができる。尚、本実施形態では、屋内側の屈曲部６３は、図１，３に示すように、さや管の曲げ角度が略４５°になるように形成されており、屋外側の屈曲部６４では、さや管６の曲げ角度が略直角になるように形成されているが、これらの曲げ角度は屋内側及び屋外側の状況に応じて適宜決定されるものであり、特に限定されるものではなく、夫々土間コンクリート１の上方及び機械基礎５の上方に夫々開口部６１，６２が位置するように屈曲されていれば良い。また、このさや管６の内径は、屋外側に設けられる熱源器や給湯器４に接続される配管、及び電気配線や情報配線等も含めた複数の配管類７が挿入できるように形成されているので、これらの配管類７を建物内へと引き込む際に有効に利用することができる。また、図１に示すように、屋外側の開口部６２は、機械基礎５に据え付けられる給湯器４等の直下に位置し、この給湯器４の下部の周囲にはカバー４１が取り付けられるので、配管類７は外部から隠れた状態になる。そのため、配管類７が外部に露出することがないので、見栄えを良くすることができる。
【００２７】
また、外周基礎２の貫通孔３に挿通されたさや管６の外周と貫通孔３との隙間には、屋外側から固定部材８が挿入されることにより、さや管６が固定される。この固定部材８としては、例えば、図４に示すようなくさび型の形状を有する幅狭のくさび型固定部材８ａや幅広のくさび型固定部材８ｂ等を用いることができる。このくさび型固定部材８ａ、８ｂには、夫々前方から後方へ向かうに従って上方へと傾斜する傾斜部８１が形成されている。また、幅広のくさび型固定部材８ｂは、固定するさや管６の外周に沿うように断面略円弧状に形成されている。この固定部材８の材質としては、ゴム製の他、樹脂製の硬質なもの等を用いることができる。
【００２８】
さや管６を貫通孔３に固定する際には、図５，６に示すように、このくさび型固定部材８ａ、８ｂを傾斜部８１が形成されている前方側から貫通孔３とさや管６の隙間に打ち込むことにより、容易に固定することができる。図５に示すように、幅狭のくさび型固定部材８ａを用いる場合には、さや管６を確実に固定するためにさや管６の外周に沿って複数のくさび型固定部材８ａを打ち込むことが好ましいが、その打ち込まれるくさび型固定部材８ａの個数や位置は特に限定されるものではない。また、本実施形態では、図４〜６に示すようなくさび型の固定部材８をさや管６の固定に用いる例を示しているが、さや管６の外周を覆うＯリングを固定部材として用いて、さや管６と貫通孔３との隙間の全周に挿入するようにしても良い。この場合には、さや管６と貫通孔３の間に雨水等が浸入してくるのを防止することができる。
【００２９】
さや管６の屋外側の開口部６２には、図２，３に示すように、複数の配管類７を工種ごとに区分けするための仕切り部材９が嵌め込まれた状態で設けられている。この仕切り部材９は、開口部６２の形状に合うように円筒状に形成されており、その内部は複数の配管類７を区分けするための板状の仕切り９１により複数の区画孔９２が形成されている。また、図３，７に示すように、この複数の区画孔９２を塞ぐようにヒレ部材１０が区画孔９２に夫々設けられている。
【００３０】
ヒレ部材１０は、伸縮性を有するものであって、例えば、薄いゴム製の部材等が用いられる。また、このヒレ部材１０には、配管類７を挿通し易くするために切れ目１１が夫々形成されている。従って、さや管６に挿入される配管類７は、屋外側の開口部６２に設けられる仕切り部材９によって工種ごとに区分けされるとともに、伸縮性を有するヒレ部材１０に挿通されることにより、配管類７の外周はヒレ部材１０に密着した状態になるので、屋外側の開口部６２から雨水や小動物等が侵入するのを防止するために開口部６２の周囲に設けられるコーキングのバックアップ材とすることができる。尚、図２，３では、４つの区画孔９２を有する仕切り部材９を用いている場合を示しているが、さや管６に挿入される配管類７の総数以上の区画孔９２が形成されている仕切り部材９であれば良く、この区画孔９２の数は特に限定されるものではない。
【００３１】
また、開口部６２に仕切り部材９を設ける代わりに、図８に示すように、さや管６に挿入する複数の配管類７を区分けするための複数の区画孔９２を形成する仕切り９１をさや管６の内部に一体として設けておいても良い。この場合、仕切り９１は、図８（ａ）に示すように、屋外側の開口部６２からさや管６の内部の途中まで設けたものでも、図８（ｂ）に示すようにさや管６の内部の全域、つまり屋外側の開口部６２から屋内側の開口部６１に渡って設けたものでも良い。また、仕切り９１により形成される複数の区画孔９２には、仕切り部材９と同様に切れ目１１が形成されたヒレ部材１０が夫々設けられる。
【００３２】
また、本発明に係る配管構造に用いられるさや管６は、図１〜６に示すような断面が略円形状に形成されているものに限定されず、図９に示すように、断面が略楕円形状に形成されているさや管６ａや断面が略四角形状に形成されているさや管６ｂ等を用いても良い。図９の（ｂ）に示すような断面が四角形状に形成されているさや管６ｂを用いる場合には、鉄筋のかぶり厚を確保しつつ、最大限大きな断面積を確保することができるので、配管類７が挿入される空間を断面略円形状のさや管６よりも大きくすることができる。
【００３３】
また、図３に示すような屋外側のさや管６ｂの開口部６２に区画孔９２を塞ぐヒレ部材１０が設けられた仕切り部材９を嵌め込む代わりに、図１０及び図１１に示すように、開口部６２にキャップ部材１２を装着しても良い。このキャップ部材１２の上面には、内部が空洞の略円錐形状の突起部１３が複数設けられている。この突起部１３には、例えば、ゴムやウレタン等の伸縮性を有する材質のものが用いられる。また、この突起部１３の側面には、この略円錐形状の突起部１３を水平面で切った場合の切り口に現われる円の径の値を示す表示線１３ａが所定の高さごとに記されている。
【００３４】
このような複数の突起部１３を有するキャップ部材１２は、図１１に示すように、さや管６ｂの開口部６２を覆うように、装着部１４がさや管６ｂの端部に装着される。突起部１３の側面に記される径の値を示す表示線１３ａは、例えば、１０ｍｍごと等に記されており、図１０及び図１１に示すように、径の大きな配管類７ａの場合には、その径に合う表示線１３ａが記されている箇所を水平に切断することにより形成される切り口に配管類７ａを挿通させることができる。径の小さな配管類７ｂを挿通させる場合も同様にその径に合う表示線１３ａが記されている箇所を水平に切断して配管類７ｂを挿通させる。また、突起部１３は、伸縮性を有するものであるので、切り口の径が配管類７の径よりも若干小さな場合でも挿通することが可能であり、挿通された配管類７の外周は、突起部１３の切り口に密着した状態になる。これにより、屋外側のさや管６ｂの開口部６２から雨水や小動物等が侵入するのを防止することができる。また、突起部１３には、１つの配管類７が挿通されるので、複数の配管類７をさや管６ｂに挿入する際に工種ごとに配管類７の経路を確保することができる。尚、ここでは、四角形状に形成されたキャップ部材１２を用いた場合を例に説明しているが、断面が円形状のさや管６の場合にも当然その形状に合うキャップ部材１２を装着することにより同様の構成を採ることができる。
【００３５】
図１２に示すさや管６ｃは、屋外側の上方へと立ち上がるように屈曲されている屈曲部６４から屋外側の開口部６２までの内径Ｄが拡径されて形成されている。このように、屋外側の上方へと立ち上がる部分から内径Ｄが拡径されているので、複数の配管類７をさや管６の屋内側の開口部６１から屋外側へと挿入する際に、屋外側の屈曲部６４で配管類７が詰まることを軽減することができる。これにより、配管類７のさや管６へ挿入が容易になるので、作業効率を向上させることができる。また、配管類７の引掛かりやすい立ち上がり部分から開口部６２までの内径のみを拡径しているので、外周基礎２の貫通孔３を最小限の大きさにでき、構造体への負担を減らすことができる。尚、本実施形態では、屋外側の上方へと立ち上がる部分から開口部６２までの内径Ｄが拡径されている例を示しているが、屋外側から屋内側へと配線類７を通す作業が主な場合には、屋内側の上方へと立ち上がるように屈曲されている屈曲部６３から屋内側の開口部６１までの内径を拡径するように形成しても良い。
【００３６】
また、図１３に示す配管構造では、さや管６ｃの屋外側の開口部６２を一直線上に設けるのではなく、左右どちらかにずれた位置に設けるために、屋外側の上方へと立ち上がるように屈曲されている屈曲部６４が傾いて形成されている。このようにさや管６ｃを構成することにより、屋外側の給湯器４等の向き、設置位置、配管接続位置等の状況に応じて屋外側の開口部６２が設けられる位置を調整することができる。また、屋内側の開口部６１についても屋内側の上方へ立ち上がるように屈曲されている屈曲部６３を傾くように形成することにより同様の構成を採ることができる。
【００３７】
次に、図１４に示すさや管１５は、可撓性を有するフレキシブル管からなるものである。このフレキシブル管をさや管１５として用いる場合、硬質な材質からなる実管のように形状が固定された状態ではないので、屋内側の土間コンクリート１の上方及び屋外側の機械基礎５の上方に夫々開口部６１，６２が位置するように、屋内側及び屋外側の両側を屈曲させて上方へと立ち上がるように調整及び保持することが難しい。そこで、図１４に示すようにフレキシブル管からなるさや管１５を支持部材１６を２つ用いることにより、屋内側及び屋外側の立ち上がり部分の位置及び形状を固定している。
【００３８】
支持部材１６は、図１４に示すように、さや管１５の外周を夫々異なる位置でリング状に把持する２つの把持部１７と、該夫々の把持部１７を所定間隔あけた状態で連結する長尺な棒状の連結部１８とを備えるものである。把持部１７の両端部には、夫々ボルト１９を挿通させることができるボルト孔２０が形成されている取付部２１が設けられている。また、連結部１８の両端にもボルト１９が挿通可能なボルト孔（不図示）が形成されており、このボルト孔と取付部２１に形成されている夫々のボルト孔２０とを重ね合わせた状態でボルト１９を挿通させてナット（不図示）等の締付具で螺着することにより把持部１７を閉じて、さや管１５の周囲を把持するとともに連結部１８を固定することができる。従って、フレキシブル管からなるさや管１５を所望の位置で立ち上げた状態で、支持部材１６を用いることにより、図１４に示すように、さや管１５の位置及び形状を固定することができるので、実管を用いた場合と同じように立ち上げ位置の調整等の施工を容易に行うことができる。また、さや管１５としてフレキシブル管を用いる場合でも、このさや管１５の有する径よりも大きな径を有する管（不図示）をさや管１５の端部に取り付けることにより、図１２に示すような立ち上がり部分から開口部までが拡径された構成を採ることも可能である。
【００３９】
尚、本発明の実施の形態は上述の形態に限ることなく、本発明の思想の範囲を逸脱しない範囲で適宜変更することができることは云うまでもない。
【産業上の利用可能性】
【００４０】
本発明に係る配管構造は、屋外に据え付けられる熱源器や給湯器等の配管や電気配線、情報配線等も含めた複数の配管類７をさや管に挿入させて屋内から屋外又は屋外から屋内へと通す際に用いる配管構造として有効に利用することができる。
【符号の説明】
【００４１】
１                土間コンクリート
２                外周基礎（基礎）
３                貫通孔
４                給湯器（機器）
５                機械基礎
６、６ａ〜６ｄ    さや管
６１、６２        開口部
７                配管類
８、８ａ、８ｂ    固定部材（くさび型固定部材）
９１              仕切り
９２              区画孔
１０              ヒレ部材
１１              切れ目
１２              キャップ部材
１３              突起部
１５              さや管（フレキシブル管）
１６              支持部材
１７              把持部
１８              連結部
Ｄ                内径
【図１】
2011247374.tif 000003
【図２】
2011247374.tif 000004
【図３】
2011247374.tif 000005
【図４】
2011247374.tif 000006
【図５】
2011247374.tif 000007
【図６】
2011247374.tif 000008
【図７】
2011247374.tif 000009
【図８】
2011247374.tif 000010
【図９】
2011247374.tif 000011
【図１０】
2011247374.tif 000012
【図１１】
2011247374.tif 000013
【図１２】
2011247374.tif 000014
【図１３】
2011247374.tif 000015
【図１４】
2011247374.tif 000016
【図１５】
2011247374.tif 000017